(57)【要約】【課題】  ゴミを入れたゴミ袋がカラスの被害を受けることなく、又ゴミ袋の回収作業が便利で、後片付けも楽なゴミ袋カバーの提供。【解決手段】  ゴミを収容した複数のゴミ袋１０，１０・・を収納・カバーする為のゴミ袋カバー４であって、ゴミ袋カバー４は開いた状態が傘状であり、その中央には蓋２を備えた入口筒１を設け、入口筒１の下側周囲にはバンド５，５・・を取付け、そしてゴミ袋カバー４の周辺部には折り返し布９を残した位置に複数のセット紐８，８・・を取付けている。【選択図】    図５
2006111378.tif 000002
【特許請求の範囲】
【請求項１】
ゴミを収容した複数のゴミ袋を収納・カバーする為のゴミ袋カバーにおいて、ゴミ袋カバーは開いた状態が傘状であり、その中央には蓋を備えた入口筒を設け、入口筒の下側には下蓋を取付けて折畳まれたゴミ袋カバーを収納可能にしたことを特徴とするゴミ袋カバー。
【請求項２】
上記下蓋として入口筒周囲にはバンドを取付け、そしてゴミ袋カバーの周辺部には折り返し布を残した位置に複数のセット紐を取付けた請求項１記載のゴミ袋カバー。
【請求項３】
上記下蓋として入口筒周囲にスカートを設け、該スカートに上記セット紐を取付けた請求項２記載のゴミ袋カバー。
【請求項４】
上記ゴミ袋カバーには空気窓を設けた請求項１、請求項２、又は請求項３記載のゴミ袋カバー。
【請求項５】
入口筒に弾性力を付勢した蝶番継手を介して上蓋を開閉可能に取付けた請求項１、請求項２、請求項３、又は請求項４記載のゴミ袋カバー。
【発明の詳細な説明】
【技術分野】
【０００１】
本発明はゴミを入れた複数のゴミ袋を積み上げた状態で被覆してカラスの散らかしを防止することが出来ると共に、収集作業が便利なゴミ袋カバーに関するものである。
【背景技術】
【０００２】
各家庭から出されるゴミは所定の場所に置かれ、巡回する収集車によって集められる。しかし、出されたゴミは収集車によって回収されるまではそのまま放置され、この放置されたゴミにカラスが群がって周囲に散らかしてしまう。近年ではこの放置されるゴミに群がるカラスが多く、特に都会ではこのカラス対策が問題と成っている。従来から色々な対策が講じられているが、その効果は十分でなく、カラスとの知恵比べが続いているのが実状である。
【０００３】
従来から使われている最も一般的な方法は図７に示すようなネット(イ)であり、ゴミを収容したゴミ袋(ロ)、(ロ)・・が積まれた山にネット(イ)を被せ、周囲には該ネット(イ)が捲れないように重石(ハ)、(ハ)・・を配置している。しかし、ネット(イ)を被せて重石(ハ)、(ハ)・・を置いた状態では、次にゴミ袋(ロ)を置く際には重石(ハ)、(ハ)・・を取除いてネット(イ)を捲り上げる必要があり、ゴミ袋(ロ)を出す際の面倒な作業となる。
【０００４】
従って、ネット(イ)の上にゴミ袋(ロ)を置いてしまうことが多く、ネット(イ)の効果が無くなってしまう。勿論、カラスは比較的利口である為に、ネット(イ)の周囲に重石(ハ)、(ハ)・・を正しく設置しない場合には、ネット(イ)の縁から侵入してゴミを突いて散らかってしまう。又、ネット(イ)の網目からゴム袋を突いて散らかすこともある。さらに、上記ネット(イ)はゴミ袋収集後の後片付けに際して折畳んでいく手間がかかって面倒である。
【０００５】
一方、このようなネット(イ)でなく、金属製のメッシュで構成したボックスも使用されている。該ボックスには正面にドアが取付けられてゴミを収容したゴミ袋を入口から出し入れすることが出来る。このボックスに収納されたゴミ袋はカラスの被害に遭うことはないが、このボックスを常設しておくだけのスペースがないことが多く、街中ではネットやカバーに頼っているのが実状である。
【０００６】
最近では、テグス糸を張設してカラスが近づかないように工夫したものがある。３０ｃｍ間隔で糸を張設するだけである為に費用は安くなるが、ゴミの収集場所に該糸を張設することは出来ない。すなわち、袋詰したゴミを置く際も、又回収する場合も、周囲に糸を張設したのでは邪魔に成ってしまう。
【発明の開示】
【発明が解決しようとする課題】
【０００７】
このように、カラスの被害に遭わないようにゴミを出す方法には上記のごとき問題がある。本発明が解決しようとする課題はこれら問題点であり、カラスの被害を受けることなく、回収作業も便利であり、後片付けも簡単に出来るゴミ袋カバーを提供する。
【課題を解決するための手段】
【０００８】
本発明に係るゴミ袋カバーは、ゴミを収容して家庭から出される複数のゴミ袋が山のように積み上げられた状態で被覆することが出来る形状及び大きさと成っている。すなわち、概略傘形状を成し、ゴミ袋カバーの中央には入口筒が取着され、該入口筒には持ち手を有している。又入口筒には蓋が組合されて、蓋を取外してゴミ袋をゴミ袋カバー内に入れることが出来る。
【０００９】
そして、ゴミ袋カバーの外周縁の複数箇所にはセット紐が取付けられ、該セット紐をもって大きく広げることが出来る。又、入口筒はカバーを折畳んで収納出来る容器でもあり、その周囲には複数のバンドが取付けられている。従って、入口筒に収納されたゴミ袋カバーはバンドを締結することではみ出すことなく納まり得る。ここで、ゴミ袋カバーの材質は特に限定しないが、比較的薄くて丈夫な生地が適している。
【００１０】
一方、上記バンドはゴミ袋カバーを入口筒に収納して外にはみ出さないようにする下蓋の１形態であり、下蓋はその他に色々な構造とすることが出来る。又、上蓋の構造にしても、その形態は特に限定しないことにする。例えば、バネ力を付勢した蝶番を介して上蓋を開閉可能に取付けることも出来る。
【発明の効果】
【００１１】
本発明に係るゴミ袋カバーはゴミを収容して家庭から出されるゴミ袋を被覆することが出来、カラスの被害を防止出来る。そして、該ゴミ袋カバーの中央には入口筒が取付けられている為に、蓋を取外すことで該入口筒からゴミ袋を収納することが出来、大きなゴミ収納容器に入れるようものである。そして、ゴミ袋を入口筒から収納すると共に、入口筒を持ち上げることで収納されるゴミ袋は崩れることなく山のように積み上げられる。この際、カバーの外周部に取付けられているセット紐を外方向へ引っ張ることで、該カバーは大きく広がる為に、数多くのゴミ袋を収納出来る。
【００１２】
そして、収納されたゴミ袋を巡回するゴミ収集車に積載する際には、セット紐をもって引き上げるならばカバーが取外されて積み上げられたゴミ袋は表面化し、ゴミ袋を手軽にゴミ収集車に積載することが出来る。一方、ゴミ袋カバーは折畳んだ状態で入口筒に収納され、そしてはみ出さないようにバンドで拘束される。従って、大きなカバーが入口筒に納まることで持ち運び出来、及び保管が便利である。
【実施例】
【００１３】
図１はゴミ袋カバーが入口筒に収納されて、持ち運び可能な状態を示している。同図の１は入口筒、２は蓋、３は持ち手を表している。蓋２は入口筒１の上側に取付けられて着脱自在と成っており、入口筒１にはゴミ袋カバー４が折畳まれて収納されている。しかし、入口筒１の外周下側に取付けたバンドによって、収納されたゴミ袋カバー４がはみ出さないようにしている。
【００１４】
図２は入口筒１に収納されているゴミ袋カバー４が外に出た状態であり、入口筒１から下方へ垂下がっている。ゴミ袋カバー４は入口筒１の下縁にスカート７が設けられ、該スカート７にバンド５，５・・が縫い付けられていて、バンド先端バックル６，６・・を解除するならば同図のようにゴミ袋カバー４は入口筒１から垂下がる。
【００１５】
同図のように垂下がった状態のゴミ袋カバー４は筒状であるが、カーテンのごとく下方側を大きくしたヒダが設けられて、傘のように開くことが出来る。そして、ゴミ袋カバー４の下側(外周部)には複数のセット紐８，８・・が等間隔で縫い付けられている。ここで、ゴミ袋カバー４は比較的薄くて丈夫な生地が使用され、入口筒１に折畳んだ状態で収納され得るようにしている。
【００１６】
図３はゴミ袋カバー４を傘状態に広げた場合を示し、中央には蓋２がされた入口筒１が位置している。ゴミ袋カバー４の外周部に縫い付けられたセット紐８，８・・の外周には折り返し布９が延び、ゴミ袋カバー４を図３のように広げた場合には折り返し布９は内側へ折り返された状態と成っている。これは、図４に示すように、セット紐８，８・・を外方向へ引っ張ることで、折り返し布９は内側へ入ることが出来る。
【００１７】
図５は本発明のゴミ袋カバー４にゴミ袋を収納する場合を表している。ゴミ袋カバー４にゴミ袋１０を収納するには、入口筒１の蓋２を外して行うことが出来る。この場合、最初の幾つかのゴミ袋１０，１０・・は外周の折り返し布９の上に載るように収納して、ゴミ袋カバー４が位置ズレしないように重石の役目を果たすことになる。又、ゴミ袋カバー４にはメッシュの空気窓１１，１１・・が設けられ、ゴミ袋から出るゴミの臭いを該空気窓１１，１１・・から流し出すことが出来る。
【００１８】
図６はゴミ袋カバー４に複数のゴミ袋１０，１０・・を収納した場合を示しているように、山のように積み上げられたゴミ袋１０，１０・・はゴミ袋カバー４にて全体が覆われた状態となる。ゴミ袋１０を入れる場合には、蓋２を開けて収納し、さらに入口筒１を持ち上げることでゴミ袋カバー４が引き上げられ、その為にゴミ袋１０，１０・・は隅々まで収納される。
【００１９】
そして、ゴミの収集車にゴミ袋１０，１０・・を積載する際には、ゴミ袋カバー４のセット紐８，８・・をもって、該ゴミ袋カバー４を簡単に取外すことが出来る。ゴミ袋１０，１０・・が収集車に積載された後は、ゴミ袋カバー４は前記図１に示すように入口筒１に折畳まれて収納される。
【図面の簡単な説明】
【００２０】
【図１】ゴミ袋カバーが入口筒に収納されて蓋をした場合。
【図２】ゴミ袋カバーを入口筒から取出して垂れ下げた状態。
【図３】ゴミ袋カバーを傘状に広げた場合。
【図４】ゴミ袋カバーを広げた際の折り返し布の状態。
【図５】ゴミ袋カバーの入口筒からゴミ袋を収納する場合。
【図６】ゴミ袋カバー内にゴミ袋が一杯に収納された場合。
【図７】ネットを掛けたゴミ袋。
【符号の説明】
【００２１】
１  入口筒
２  蓋
３  持ち手
４  ゴミ袋カバー
５  バンド
６  バックル
７  スカート
８  セット紐
９  折り返し布
10  ゴミ袋
11  空気窓
【図１】
2006111378.tif 000003
【図２】
2006111378.tif 000004
【図３】
2006111378.tif 000005
【図４】
2006111378.tif 000006
【図５】
2006111378.tif 000007
【図６】
2006111378.tif 000008
【図７】
2006111378.tif 000009